(57)【特許請求の範囲】
【請求項１】
ドアインナパネルへの取付部と、該取付部の側外方に位置する本体部とを有し、該本体部の外壁面にてプーリーおよび／又はシューを支持する上下方向に離間した上下プーリーブラケット；
両側縁にドアインパネルに向けられたフランジを備えると共に両端部が上下プーリーブラケットの本体部のドアインナパネル側の内壁面に支持された連結部材；
連結部材にそのハウジングを保持させた駆動部材；
駆動部材のドラムに巻回されかつ連結部材のフランジが向く方とは逆の側外方側に位置して上下プーリーブラケットのプーリーおよび／又はシューに係合するワイヤ；および
ワイヤに固定され上下プーリー間でかつ連結部材の側外方側に位置するガラス支持部材
からなる車両用ウインドレギュレータ。
【請求項２】
駆動部材のハウジングがドアインナパネルへの固定のための取付片を有する請求項１記載の車両用ウインドレギュレータ。
【請求項３】
連結部材が上下プーリーブラケットにトグロックカシメにより固定される請求項１記載の車両用ウインドレギュレータ。
【発明の詳細な説明】
【０００１】
【発明の属する技術分野】
本発明は、車両用ウインドレギュレータに関し、特に詳述すれば、上下のプーリーブラケットをドアインナパネルに固定させることで駆動部材とワイヤ、上下のプーリーブラケットと両ブラケットを結ぶ連結部材を一体に予め組付けモジュールとした車両用ウインドレギュレータに関する。
【０００２】
【従来の技術】
車両用ウインドレギュレータは、車両の窓ガラスを昇降させるために車両のドアインナパネルに組付けられるが、その一例が実用新案登録第２５７８８８１号公報に開示される。
車両用ウインドレギュレータは、同公報に開示される如く、上下にブラケットを介してプーリーを固定した上下方向に延在するガイド部材、ワイヤドラムと電動モータを有する駆動部材、ワイヤドラムとプーリーに巻回されるワイヤ、およびワイヤに固定されかつ窓ガラスの下部に支持されるガラス支持ブラケットより構成される。
【０００３】
従来のウインドレギュレータは、ガイド部材をドアのインナパネルに固定し、さらに駆動部材をドアのインナパネルに固定し、ドラムに巻回したワイヤをプーリーに係合させてガラス支持ブラケットを窓ガラスに固定させる組付け手順をもつものである。
【０００４】
【発明が解決しようとする課題】
従来のガイド部材は、ドアインナパネルに支持される強度部材即ち窓ガラスの昇降時その負荷をワイヤとプーリーを介して受けかつその負荷をインナパネルに伝達させる強度部材であることが必要なため、大きな断面形状にして板厚も大となっており、ドアの重量増加の一因となっている。
【０００５】
加えて、従来のウインドレギュレータはガイド部材のドアインナパネルへの固定、駆動部材のドアインナパネルへの固定、ワイヤのプーリーへの係合、ガラス支持ブラケットの窓ガラスへの固定という組付作業を必要とし、組付け作業が多くの工程を必要とする効率の悪いものとなっている。
【０００６】
それ故に、本発明は、前述した従来技術の不具合を解消させることを解決すべき課題とする。
【０００７】
【課題を解決するための手段】
本発明は、前述した課題を解決するために、基本的には、上下方向に離間して位置するプーリーブラケットをドアインナパネルに固定し、プーリーに係合するワイヤの走行路に沿いかつ両プーリーブラケットを連結する連結部材を設け、この連結部材に駆動部材を支持させる技術的手段を採用する。
【０００８】
この手段の採用は、ウインドレギュレータを構成する各部品を予め組付け、ウインドレギュレータを組付けの容易ないわゆるモジュール化させることを可能とさせる。
又、上下のプーリーブラケットのドアインナパネルへの固定という新しい技術概念の導入は、連結部材はモジュール化のために両プーリーブラケットを連結しかつ駆動部材を保持する機能を単に有すればよいので断面形状の小さな薄肉の板物でよく、ウインドレギュレータの軽量を可能とさせる。
モジュール化されたウインドレギュレータのドアへの取付はプーリーブラケットをドアインナパネルに固定し、ガラス支持ブラケットを窓ガラスの下部に固定すればよいので組付け効率は著しく増大する。
【０００９】
連結部材を上下のプーリーブラケットの間の間隔が最も短くなる部位でワイヤの走行路に沿って配置させる。
【００１０】
本発明によれば、ドアインナパネルへの取付部と、該取付部の側外方に位置する本体部とを有し、該本体部の外壁面にてプーリーおよび／又はシューを支持する上下方向に離間した上下プーリーブラケット；両側縁にドアインパネルに向けられたフランジを備えると共に両端部が上下プーリーブラケットの本体部のドアインナパネル側の内壁面に支持された連結部材；連結部材にそのハウジングを保持させた駆動部材；駆動部材のドラムに巻回されかつ連結部材のフランジが向く方とは逆の側外方側に位置して上下プーリーブラケットのプーリーおよび／又はシューに係合するワイヤ；およびワイヤに固定され上下プーリー間でかつ連結部材の側外方側に位置するガラス支持部材からなる車両用ウインドレギュレータが提供される。
【００１１】
【発明の実施の形態】
図１および図２に示すように、ウインドレギュレータ１は上下方向に離間して配される上プーリーブラケット２と下プーリーブラケット３を有し、上下ブラケット２，３は連結部材４により結合される。
上プーリーブラケット２は、ドアインナパネル５に接する取付部６と、該取付部６とは段部を介してインナパネル５とは離反する方向に位置する本体部７とからなり、この本体部７の外側面にプーリー８がピンを用いて回動自在に支持される。取付部６は１個所以上好ましくは少なくとも２個所設けられ、ボルトとナットを用いてドアインナパネルに固定される。
【００１２】
下プーリーブラケット３もドアインナパネル５に接しかつボルトとナットを用いてドアインナパネルに固定される取付部６′と、該取付部６′とは段部を介してインナパネル５とは離反する方向に位置する本体部７′とからなり、この本体部７′の外側面にプーリーに代わるシュー９が固定される。取付部６′は好ましくは少なくとも２個所設けられる。
【００１３】
上下プーリーブラケット２，３の取付部６，６′に連結部材４の端部とをトグロックカシメにより固定させる。尚、トグロックカシメに代えて溶接によりプーリーブラケットと連結部材とを固定するようにしても良い。
連結部材４は断面チャンネル状のプレス加工された単純形状の板物で、両側縁のフランジはインナパネル５側に向けられる。
上下方向に延在する連結部材４はプーリーブラケット２，３の本体部７，７′のインナパネル５側の面に固定され、インナパネル５とは離間し、窓ガラスに沿った形状に加工される（図３参照）。
この連結部材４は、モジュール化のために上下プーリーブラケット２，３を連結させるに充分な強度を基本的に有すればよいので軽量にして単純形状のものでよい。
【００１４】
駆動部材１０は、モータ１１、減速機構とワイヤドラム１２を一つの集合体とするハウジング１３を備える。ハウジング１３は取付ブラケット１４（図４参照）を用いて連結部材４にトグロックカシメや溶接により結合される。
ドラム１２にはワイヤ１５を巻回させ、ワイヤ１５を上プーリー８と下シュー９に係合させる。上プーリー８と下シュー９との間のワイヤ１５にガラス支持ブラケット１６を固定する。このガラス支持ブラケット１６は図示しない窓ガラスの下部に固定される。
【００１５】
モータ１１をオンとさせ、ドラム１２を正又は逆回転させることで、ガラス支持ブラケット１６を、図１に示す上死点から仮想線で示す下死点の間を昇降させ、この間の任意位置を選択的にとることができる。
ワイヤ１５の動きは、連結部材４の外側面でインナパネル５側への動きを阻止し、他部材への悪影響を防止する。
上プーリー８と下シュー９は上下ブラケット２，３の本体部７，７′の外側面に取付けられかつ連結部材４はその内側面に固定されるので、ワイヤ１５と連結部材４の外側面とは一定の間隔で離間した関係を維持できる。加えて、連結部材４の両側縁のフランジはワイヤ１５の走行路から離れる方向に延在するので、ワイヤ１５のフランジへのひっかかりはない。
【００１６】
以上述べたように、上下ブラケット２，３をインナパネル５に固定し、両ブラケット２，３を単に連結部材４により結合し、この連結部材４に駆動部材１０を保持させ、予めワイヤの巻回を可能にしたことから、ウインドレギュレータのモジュール化が可能となった。
【００１７】
モジュール化されたウインドレギュレータ１は、上下ブラケット２，３の取付部６，６′をドアインナパネル５に固定し、さらに、ハウジング１３の好ましくは３個所の取付片１７をドアインナパネル５に固定させることで、ドアへの装着は可能となる。次いで、ガラス支持部材１６を窓ガラスへ固定すればよい。この取付作業は従来に比し容易で、しかも、各部材が予め組付けられているので、ドアに対して各部材を正しく配置させ得る。これはワイヤ１５の局部的な過度の摩擦を解消させ、スムーズな窓ガラスの昇降を可能にする。
【図面の簡単な説明】
【図１】本発明の一例のウインドレギュレータの正面図である。
【図２】図１の例の側面図である。
【図３】図１の矢視III−IIIからみた断面図である。
【図４】図１の矢視IV−IVからみた断面図である。
【符号の説明】
１  ウインドレギュレータ
２，３  プーリーブラケット
４  連結部材
５  ドアインナパネル
６，６′  取付部
７，７′  本体部
８  プーリー
９  シュー
１０  駆動部材
１１  モータ
１２  ドラム
１３  ハウジング
１５  ワイヤ
１６  ガラス支持部材
１７  取付片
【図１】
0004345215.tif 000002
【図２】
0004345215.tif 000003
【図３】
0004345215.tif 000004
【図４】
0004345215.tif 000005